(57)【特許請求の範囲】
【請求項１】
第１方向における一方側である照射側を向く第１支持面、および上記第１方向照射側を向き、上記第１支持面よりも上記第１方向他方側である設置側に位置し、上記第１方向に対して直角でありかつ互いに直角である第２および第３方向において上記第１支持面を囲む第２支持面、を有する支持部と、
上記第１支持面に支持された第１ＬＥＤチップ、および上記第２支持面に支持された第２ＬＥＤチップ、を含む複数のＬＥＤチップと、
上記支持部に対して上記第１方向照射側に位置し、上記ＬＥＤチップからの光を透過し、上記第２および第３方向において中央に向かうほど上記第１方向照射側に位置する傾斜部を有するカバーと、
上記第１支持面に支持されており、かつ各々に複数の上記第１ＬＥＤチップが複数列をなして搭載された複数の第１ＬＥＤ基板と、
上記第２支持面に支持されており、かつ各々に上記第２ＬＥＤチップが複数列をなして搭載されており、且つ上記複数の第１ＬＥＤ基板よりも個数が多い複数の第２ＬＥＤ基板と、を備えることを特徴とする、ＬＥＤ照明器具。
【請求項２】
上記複数の第１ＬＥＤ基板の個数は、４つである、請求項１に記載のＬＥＤ照明器具。
【請求項３】
上記複数の第２ＬＥＤ基板の個数は、９つである、請求項２に記載のＬＥＤ照明器具。
【請求項４】
上記複数の第１ＬＥＤ基板は、各々が部分円環状とされており、互いの端部が対向するように配置されることにより全体として円環形状をなす、請求項１ないし３のいずれかに記載のＬＥＤ照明器具。
【請求項５】
上記複数の第２ＬＥＤ基板は、各々が部分円環状とされており、互いの端部が対向するように配置されることにより全体として円環形状をなす、請求項４に記載のＬＥＤ照明器具。
【請求項６】
上記複数の第１ＬＥＤチップは、上記複数の第１ＬＥＤ基板と同心円状の複数列をなす、請求項５に記載のＬＥＤ照明器具。
【請求項７】
上記複数の第２ＬＥＤチップは、上記複数の第２ＬＥＤ基板と同心円状の複数列をなす、請求項６に記載のＬＥＤ照明器具。
【請求項８】
上記第１支持面の外縁は、上記第１方向視において円形状である、請求項７に記載のＬＥＤ照明器具。
【請求項９】
上記第２支持面は、上記第１方向視において円環形状である、請求項８に記載のＬＥＤ照明器具。
【請求項１０】
上記カバーは、上記ＬＥＤチップからの光を拡散させつつ透過する、請求項７ないし９のいずれかに記載のＬＥＤ照明器具。
【請求項１１】
各々が上記ＬＥＤチップと、上記ＬＥＤチップを覆うとともに上記ＬＥＤチップからの光によって励起されることにより上記ＬＥＤチップからの光とは異なる波長の光を発する蛍光材料が混入された封止樹脂と、を有し、且つ上記複数の第１ＬＥＤ基板および上記複数の第２ＬＥＤ基板に搭載された複数のＬＥＤモジュールを備える、請求項７ないし１０のいずれかに記載のＬＥＤ照明器具。
【請求項１２】
上記複数のＬＥＤモジュールは、発する光の色温度が互いに異なる第１および第２色ＬＥＤモジュールを含む、請求項１１に記載のＬＥＤ照明装置。
【請求項１３】
上記第１色ＬＥＤモジュールが発する光は、電球色であり、上記第２色ＬＥＤモジュールが発する光は、昼白色である、請求項１２に記載のＬＥＤ照明器具。
【請求項１４】
上記第１ＬＥＤ基板に搭載された複数の上記ＬＥＤモジュールは、上記第１および第２色ＬＥＤモジュールを含んでおり、かつ上記第１ＬＥＤ基板の周方向において上記第１および第２色ＬＥＤモジュールが交互に配置されている、請求項１２または１３に記載のＬＥＤ照明器具。
【請求項１５】
上記第１ＬＥＤ基板に搭載された複数の上記ＬＥＤモジュールは、長矩形状であり、かつそれぞれの長手方向が上記第１ＬＥＤ基板の径方向に沿っている、請求項１４に記載のＬＥＤ照明器具。
【請求項１６】
上記第２ＬＥＤ基板に搭載された複数の上記ＬＥＤモジュールは、上記第１および第２色ＬＥＤモジュールを含んでおり、かつ上記第２ＬＥＤ基板の周方向において上記第１および第２色ＬＥＤモジュールが交互に配置されている、請求項１２ないし１５のいずれかに記載のＬＥＤ照明器具。
【請求項１７】
上記第２ＬＥＤ基板に搭載された複数の上記ＬＥＤモジュールは、長矩形状であり、かつそれぞれの長手方向が上記第２ＬＥＤ基板の径方向に沿っている、請求項１６に記載のＬＥＤ照明器具。
【請求項１８】
上記第１支持面が、円環状であり、
上記支持部は、上記第１方向照射側を向き上記第２および第３方向において第１支持面に囲まれた第３支持面を有しており、
上記複数のＬＥＤチップは、上記第３支持面に支持された複数の第３ＬＥＤチップを含む、請求項１１ないし１７のいずれかに記載のＬＥＤ照明器具。
【請求項１９】
上記第３支持面は、上記第１支持面よりも上記第１方向照射側に位置する、請求項１８に記載のＬＥＤ照明器具。
【請求項２０】
上記第３支持面に支持されており、かつ上記複数のＬＥＤチップの点灯状態を制御するための信号を受信する受信部を備える、請求項１８または１９に記載のＬＥＤ照明器具。
【請求項２１】
上記複数の第３ＬＥＤチップは、円環状に配置されており、
上記受信部は、上記複数のＬＥＤチップに囲まれている、請求項２０に記載のＬＥＤ照明器具。
【請求項２２】
上記複数のＬＥＤモジュールは、各々が上記第３ＬＥＤチップを内蔵し、かつ電球色の光を発する複数の第３ＬＥＤモジュールを含んでいる、請求項１８ないし２１のいずれかに記載のＬＥＤ照明器具。
【請求項２３】
上記カバーは、上記第３支持面を覆う円形状の中央部を有する、請求項１８ないし２２のいずれかに記載のＬＥＤ照明器具。
【請求項２４】
上記カバーは、上記第２および上記第３方向において上記傾斜部よりも外側に位置し、かつ上記傾斜部と面一とされた上記第１方向照射側をむく表面を有する外枠部を有する、請求項１ないし２３のいずれかに記載のＬＥＤ照明器具。
【請求項２５】
上記複数のＬＥＤチップを点灯させるための電力を供給するとともに、第１支持面に対して上記第１方向設置側に位置する電源部を備える、請求項１ないし２４のいずれかに記載のＬＥＤ照明器具。
【発明の詳細な説明】
【技術分野】
【０００１】
本発明は、ＬＥＤチップを備えるＬＥＤ照明器具に関する。
【背景技術】
【０００２】
ＬＥＤチップを備えたＬＥＤ照明器具は、たとえば蛍光灯を取り付けるタイプの照明器具の代替製品として開発されている。天井に取り付けられる照明器具は、一般的にシーリングライトと称される。
【０００３】
図７は、シーリングライトとして用いられる従来のＬＥＤ照明器具の一例を示している（たとえば、特許文献１参照）。同図に示されたＬＥＤ照明器具９００は、全体として薄い円盤状であり、天井８００に取り付けて用いられる。ＬＥＤ照明器具９００は、複数の光源部９１０、反射面９２０、およびカバー９３０を備えている。光源部９１０は、各々がＬＥＤチップ（図示略）を内蔵しており、円状に配置されている。反射面９２０は、たとえば白色塗装が施された金属板部材の表面である。光源部９１０からの光は、反射面９２０によって反射されることにより、図中下方へと進行する。カバー９３０は、たとえば光を拡散しながら透過する樹脂からなり、反射面９２０によって反射された光を、拡散しながら図中下方へと透過する。ＬＥＤ照明器具９００は、天井８００に沿ったスマートな外観と、室内を均一に照らすこととを両立することが意図されている。
【０００４】
しかしながら、ＬＥＤ照明器具９００の厚さを薄くするほど、反射面９２０の形状が制約を受ける。この制約は、ＬＥＤ照明器具９００によって均一に照らすことを阻害しうる。
【先行技術文献】
【特許文献】
【０００５】
【特許文献１】特開２００８−３００２０３号公報
【発明の概要】
【発明が解決しようとする課題】
【０００６】
本発明は、上記した事情のもとで考え出されたものであって、スマートな外観であるとともに、より均一に照らすことが可能なＬＥＤ照明器具を提供することをその課題とする。
【課題を解決するための手段】
【０００７】
本発明によって提供されるＬＥＤ照明器具は、第１方向における一方側である照射側を向く第１支持面、および上記第１方向照射側を向き、上記第１支持面よりも上記第１方向他方側である設置側に位置し、上記第１方向に対して直角でありかつ互いに直角である第２および第３方向において上記第１支持面を囲む第２支持面、を有する支持部と、上記第１支持面に支持された第１ＬＥＤチップ、および上記第２支持面に支持された第２ＬＥＤチップ、を含む複数のＬＥＤチップと、上記支持部に対して上記第１方向照射側に位置し、上記ＬＥＤチップからの光を透過し、上記第２および第３方向において中央に向かうほど上記第１方向照射側に位置する傾斜部を有するカバーと、上記第１支持面に支持されており、かつ各々に複数の上記第１ＬＥＤチップが複数列をなして搭載された複数の第１ＬＥＤ基板と、上記第２支持面に支持されており、かつ各々に上記第２ＬＥＤチップが複数列をなして搭載されており、且つ上記複数の第１ＬＥＤ基板よりも個数が多い複数の第２ＬＥＤ基板と、を備えることを特徴としている。
【０００８】
本発明の好ましい実施の形態においては、上記複数の第１ＬＥＤ基板の個数は、４つである。
【０００９】
本発明の好ましい実施の形態においては、上記複数の第２ＬＥＤ基板の個数は、９つである。
【００１０】
本発明の好ましい実施の形態においては、上記複数の第１ＬＥＤ基板は、各々が部分円環状とされており、互いの端部が対向するように配置されることにより全体として円環形状をなす。
【００１１】
本発明の好ましい実施の形態においては、上記複数の第２ＬＥＤ基板は、各々が部分円環状とされており、互いの端部が対向するように配置されることにより全体として円環形状をなす。
【００１２】
本発明の好ましい実施の形態においては、上記複数の第１ＬＥＤチップは、上記複数の第１ＬＥＤ基板と同心円状の複数列をなす。
【００１３】
本発明の好ましい実施の形態においては、上記複数の第２ＬＥＤチップは、上記複数の第２ＬＥＤ基板と同心円状の複数列をなす。
【００１４】
本発明の好ましい実施の形態においては、上記第１支持面の外縁は、上記第１方向視において円形状である。
【００１５】
本発明の好ましい実施の形態においては、上記第２支持面は、上記第１方向視において円環形状である。
【００１６】
本発明の好ましい実施の形態においては、上記カバーは、上記ＬＥＤチップからの光を拡散させつつ透過する。
【００１７】
本発明の好ましい実施の形態においては、各々が上記ＬＥＤチップと、上記ＬＥＤチップを覆うとともに上記ＬＥＤチップからの光によって励起されることにより上記ＬＥＤチップからの光とは異なる波長の光を発する蛍光材料が混入された封止樹脂と、を有し、且つ上記複数の第１ＬＥＤ基板および上記複数の第２ＬＥＤ基板に搭載された複数のＬＥＤモジュールを備える。
【００１８】
本発明の好ましい実施の形態においては、上記複数のＬＥＤモジュールは、発する光の色温度が互いに異なる第１および第２色ＬＥＤモジュールを含む。
【００１９】
本発明の好ましい実施の形態においては、上記第１ＬＥＤ基板に搭載された複数の上記ＬＥＤモジュールは、上記第１および第２色ＬＥＤモジュールを含んでおり、かつ上記第１ＬＥＤ基板の周方向において上記第１および第２色ＬＥＤモジュールが交互に配置されている。
【００２０】
本発明の好ましい実施の形態においては、上記第１ＬＥＤ基板に搭載された複数の上記ＬＥＤモジュールは、長矩形状であり、かつそれぞれの長手方向が上記第１ＬＥＤ基板の径方向に沿っている。
【００２１】
本発明の好ましい実施の形態においては、上記第２ＬＥＤ基板に搭載された複数の上記ＬＥＤモジュールは、上記第１および第２色ＬＥＤモジュールを含んでおり、かつ上記第２ＬＥＤ基板の周方向において上記第１および第２色ＬＥＤモジュールが交互に配置されている。
【００２２】
本発明の好ましい実施の形態においては、上記第２ＬＥＤ基板に搭載された複数の上記ＬＥＤモジュールは、長矩形状であり、かつそれぞれの長手方向が上記第２ＬＥＤ基板の径方向に沿っている。
【００２３】
本発明の好ましい実施の形態においては、上記第１支持面が、円環状であり、上記支持部は、上記第１方向照射側を向き上記第２および第３方向において第１支持面に囲まれた第３支持面を有しており、上記複数のＬＥＤチップは、上記第３支持面に支持された複数の第３ＬＥＤチップを含む。
【００２４】
本発明の好ましい実施の形態においては、上記第３支持面は、上記第１支持面よりも上記第１方向照射側に位置する。
【００２５】
本発明の好ましい実施の形態においては、上記第３支持面に支持されており、かつ上記複数のＬＥＤチップの点灯状態を制御するための信号を受信する受信部を備える。
【００２６】
本発明の好ましい実施の形態においては、上記複数の第３ＬＥＤチップは、円環状に配置されており、上記受信部は、上記複数のＬＥＤチップに囲まれている。
【００２７】
本発明の好ましい実施の形態においては、上記複数のＬＥＤモジュールは、各々が上記第３ＬＥＤチップを内蔵し、かつ電球色の光を発する複数の第３ＬＥＤモジュールを含んでいる。
【００２８】
本発明の好ましい実施の形態においては、上記カバーは、上記第３支持面を覆う円形状の中央部を有する。
【００２９】
本発明の好ましい実施の形態においては、上記カバーは、上記第２および上記第３方向において上記傾斜部よりも外側に位置し、かつ上記傾斜部と面一とされた上記第１方向照射側をむく表面を有する外枠部を有する。
【００３０】
本発明の好ましい実施の形態においては、上記複数のＬＥＤチップを点灯させるための電力を供給するとともに、第１支持面に対して上記第１方向設置側に位置する電源部を備える。
【００３１】
このような構成によれば、互いに段違いの位置関係とされた上記第１支持面と上記第２支持面とによって上記複数のＬＥＤチップを支持することにより、いずれかの上記ＬＥＤチップが上記カバーの上記傾斜部に対して極端に近づいたり、遠ざかったりすることを回避することが可能である。これにより、上記ＬＥＤ照明器具をたとえば天井から緩やかに膨らんだスマートな形状としつつ、上記ＬＥＤ照明器具によってより均一に屋内を照らすことができる。
【００３２】
本発明のその他の特徴および利点は、添付図面を参照して以下に行う詳細な説明によって、より明らかとなろう。
【図面の簡単な説明】
【００３３】
【図１】本発明に係るＬＥＤ照明器具の一例を示す平面図である。
【図２】図１のＬＥＤ照明器具を示す側面図である。
【図３】図１のＬＥＤ照明器具を示す底面図である。
【図４】図１のＩＶ−ＩＶ線に沿う断面図である。
【図５】カバーを除いた状態の図１のＬＥＤ照明器具を示す平面図である。
【図６】図１のＬＥＤ照明器具に用いられるＬＥＤモジュールの一例を示す断面図である。
【図７】従来のＬＥＤ照明器具を示す断面図である。
【発明を実施するための形態】
【００３４】
以下、本発明の好ましい実施の形態につき、図面を参照して具体的に説明する。
【００３５】
図１〜図５は、本発明に係るＬＥＤ照明器具の一例を示している。本実施形態のＬＥＤ照明器具１０１は、支持部２００、複数の第１ＬＥＤ基板３１０、複数の第２ＬＥＤ基板３２０、第３ＬＥＤ基板３３０、複数のＬＥＤモジュール４００、電源部５００、受信部６００、およびカバー７００を備えている。ＬＥＤ照明器具１０１は、たとえば天井８００の給電部８１０に対してたとえば設置部品８０２を介して取り付けられることにより、いわゆるシーリングライトとして用いられることが意図されている。なお、図５においては、理解の便宜上カバー７００のほとんどを省略している。
【００３６】
支持部２００は、たとえば金属板からなり、ＬＥＤ照明器具１０１の土台となっている。支持部２００は、第１支持面２１０、第２支持面２２０、第３支持面２３０を有する。第１支持面２１０は、外径がたとえば１６０ｍｍ程度の円環形状である。第２支持面２２０は、図５に示すように第１支持面２１０を囲んでおり、図４に示すように第１支持面よりも天井８００が存在する図中上側（本発明でいう第１方向設置側）に位置する。第２支持面２２０は、外径がたとえば２５０ｍｍ程度の円環形状である。第１支持面２１０と第２支持面２２０との図５における上下方向距離は、たとえば３０ｍｍ程度である。第３支持面２３０は、第１支持面２１０に囲まれており、外径がたとえば６０ｍｍ程度の円形状である。第３支持面は、第１支持面２１０よりも図４における図中下側に位置している。支持部２００の天井８００側の面には、複数の緩衝材２７０が設けられている。
【００３７】
複数の第１ＬＥＤ基板３１０、複数の第２ＬＥＤ基板３２０、および第３ＬＥＤ基板３３０は、たとえばガラスエポキシ樹脂からなる絶縁基板であり、それぞれに複数のＬＥＤモジュール４００が搭載されている。複数の第１ＬＥＤ基板３１０は、第１支持面２１０に取り付けられており、それぞれが部分円環形状である。本実施形態においては、４つの第１ＬＥＤ基板３１０が、互いの端部が対向するように配置されることにより、全体として円環形状をなしている。複数の第２ＬＥＤ基板３２０は、第２支持面２２０に取り付けられており、それぞれが部分円環形状である。本実施形態においては、９つの第２ＬＥＤ基板３２０が、互いの端部が対向するように配置されることにより、全体として円環形状をなしている。第３ＬＥＤ基板３３０は、第３支持面２３０に取り付けられており、円形状である。
【００３８】
複数のＬＥＤモジュール４００は、複数の第１ＬＥＤ基板３１０、複数の第２ＬＥＤ基板３２０、および第３ＬＥＤ基板３３０に搭載されている。各ＬＥＤモジュール４００は、平面視長矩形状とされている。図６は、ＬＥＤモジュール４００の短手方向に対して直角である平面における断面図を示している。本図に示すようにＬＥＤモジュール４００は、１対のリード４２０、ＬＥＤチップ４１０、封止樹脂４４０、およびケース４３０を備えている。１対のリード４２０は、たとえばＣｕ合金からなり、その一方にＬＥＤチップ４１０が搭載されている。リード４２０のうちＬＥＤチップ４１０が搭載された面と反対側の面は、ＬＥＤモジュール４００を面実装するために用いられる実装端子４２１とされている。ＬＥＤチップ４１０は、ＬＥＤモジュール４００の光源であり、たとえば青色光を発光可能とされている。封止樹脂４４０は、ＬＥＤチップ４１０を保護するためのものである。封止樹脂４４０は、ＬＥＤチップ４１０からの光によって励起されることにより黄色光を発する蛍光物質を含む透光樹脂を用いて形成されている。これにより、ＬＥＤモジュール４００は、発する光の色温度を適宜設定可能である。上記蛍光物質としては、黄色光を発するものに代えて、赤色光を発するものと緑色光を発するものとを混合して用いてもよい。ケース４３０はたとえば白色樹脂からなり、ＬＥＤチップ４１０から側方に発された光を上方に反射するためのものである。なお、ＬＥＤチップ４１０は、２つのワイヤによって１対のリード４２０に接続される、いわゆる２ワイヤタイプのものでもよい。
【００３９】
本実施形態においては、複数のＬＥＤモジュール００は、電球色を発する電球色ＬＥＤモジュール４０１と、昼白色を発する昼白色ＬＥＤモジュール４０２とに区別される。図５においては、理解の便宜上、電球色ＬＥＤモジュール４０１が黒色で塗りつぶされている。
【００４０】
本発明においては、ＬＥＤチップ４１０のうち、第１支持面２１０に支持されたＬＥＤモジュール４００に内蔵されたものは、第１ＬＥＤチップ４１１と定義され、第２支持面２２０に支持されたＬＥＤモジュール４００に内蔵されたものは、第２ＬＥＤチップ４１２と定義され、第３支持面２３０に支持されたＬＥＤモジュール４００に内蔵されたものは、第３ＬＥＤチップ４１３と定義される。
【００４１】
本実施形態においては、第１ＬＥＤチップ４１１を内蔵する複数のＬＥＤモジュール４００は、複数の第１ＬＥＤ基板３１０を介して第１支持面２１０に支持されており、４重の円環形状をなすように配置されている。これらの円環形状をなす複数のＬＥＤモジュール４００は、電球色ＬＥＤモジュール４０１と昼白色ＬＥＤモジュール４０２とが交互に配置されている。第２ＬＥＤチップ４１２を内蔵する複数のＬＥＤモジュール４００は、複数の第２ＬＥＤ基板３２０を介して第２支持面２２０に支持されており、３重の円環形状をなすように配置されている。これらの円環形状をなす複数のＬＥＤモジュール４００は、電球色ＬＥＤモジュール４０１と昼白色ＬＥＤモジュール４０２とが交互に配置されている。第３ＬＥＤチップ４１３を内蔵する複数のＬＥＤモジュール４００は、第３ＬＥＤ基板３３０を介して第３支持面２３０に支持されており、円環形状をなすように配置されている。これらのＬＥＤモジュール４００は、いずれも電球色ＬＥＤモジュール４０１である。
【００４２】
電源部５００は、天井８００の給電部８０１から供給されるたとえば交流１００Ｖ電力を、ＬＥＤチップ４１０を点灯させるのに適した電圧の直流電力に変換し、これを複数のＬＥＤモジュール４００に供給するためのものである。電源部５００は、たとえばトランス、コンデンサ、抵抗器、ダイオード、ＩＣなどを備える。また、電源部５００は、電球色ＬＥＤモジュール４０１と昼白色ＬＥＤモジュール４０２との輝度を独立して制御することが可能である。これにより、ＬＥＤ照明器具１０１は、電球色から昼白色の間の色温度の光を任意に照射可能である。また、電源部５００は、第３ＬＥＤチップを内蔵する複数のＬＥＤモジュール４００のみをその他のＬＥＤモジュール４００とは別に点灯および消灯させることが可能である。本実施形態においては、図４に示すように、電源部５００は、第１支持面２１０に対して図中上側の空間に収容されている。
【００４３】
受信部６００は、図外の送信部から送信された信号を受信するためのものであり、本実施形態においては、第３ＬＥＤ基板３３０を介して第３支持面２３０に支持されている。第３ＬＥＤ基板３３０において、受信部６００は、複数のＬＥＤモジュール４００に囲まれた位置に配置されている。受信部６００が受信した信号は、電源部５００に送られる。電源部５００は、この信号の指令に基づいて複数のＬＥＤモジュール４００の点灯状態を制御する。
【００４４】
カバー７００は、ＬＥＤ照明器具１０１の外観のほとんどすべてを構成するものであり、傾斜部７１０、中央部７２０、および外枠部７３０を有する。傾斜部７１０は、たとえば乳白色の半透明の樹脂からなり、第１支持面２１０および第２支持面２２０を覆っている。図４に示すように、傾斜部７１０は、中央に向かうほど図中下方に位置するように傾斜している。中央部７２０は、たとえば乳白色の半透明の樹脂からなり、第３支持面２３０を覆っている。図１に示すように、外枠部７３０は、傾斜部７１０を外側から囲んでおり、円環形状とされている。図４に示すように、外枠部７３０は、傾斜部７１０の下面と面一である表面を有している。
【００４５】
次に、ＬＥＤ照明器具１０１の作用について説明する。
【００４６】
本実施形態によれば、互いに段違いの位置関係とされた第１支持面２１０と第２支持面２２０とによって複数のＬＥＤモジュール４００を支持することにより、いずれかのＬＥＤモジュール４００がカバー７００の傾斜部７１０に対して極端に近づいたり、遠ざかったりすることを回避することが可能である。これにより、ＬＥＤ照明器具１０１を天井８００から緩やかに膨らんだスマートな形状としつつ、ＬＥＤ照明器具１０１によってより均一に屋内を照らすことができる。外枠部７３０を備えることにより、ＬＥＤ照明器具１０１の外観をよりスマートなものとすることができる。
【００４７】
電球色ＬＥＤモジュール４０１と昼白色ＬＥＤモジュール４０２とを備えることにより、ＬＥＤ照明器具１０１から照射される光を、電球色から昼光色まで任意の色温度とすることができる。受信部６００を備えることにより、色温度の調整や点灯および消灯をＬＥＤ照明器具１０１から離れた場所から適切に行うことができる。電源部５００を、第１支持面２１０の上側に配置することにより、ＬＥＤ照明器具１０１に無駄なスペースが生じることを回避することができる。
【００４８】
複数のＬＥＤモジュール４００を、円環状に配置することにより、より均一に照らすことができる。複数の第１ＬＥＤ基板３１０および複数の第２ＬＥＤ基板３２０によって円環形状をなす構成とすることにより、複数のＬＥＤモジュール４００を容易に円環状に配置することができる。電球色ＬＥＤモジュール４０１と昼白色ＬＥＤモジュール４０２とを交互に配置することにより、たとえば電球色と昼白色との中間色にあたる色温度の光をより均一に照射することができる。
【００４９】
本発明に係るＬＥＤ照明器具は、上述した実施形態に限定されるものではない。本発明に係るＬＥＤ照明器具の各部の具体的な構成は、種々に設計変更自在である。
【符号の説明】
【００５０】
１０１    ＬＥＤ照明器具
２００    支持部
２１０    第１支持面
２２０    第２支持面
２３０    第３支持面
２７０    緩衝材
３１０    第１ＬＥＤ基板
３２０    第２ＬＥＤ基板
３３０    第３ＬＥＤ基板
４００    ＬＥＤモジュール
４０１    電球色（第１色）ＬＥＤモジュール
４０２    昼光色（第２色）ＬＥＤモジュール
４１０    ＬＥＤチップ
４１１    第１ＬＥＤチップ
４１２    第２ＬＥＤチップ
４１３    第３ＬＥＤチップ
４２０    リード
４２１    実装端子
４３０    ケース
４４０    封止樹脂５００    電源部
６００    受信部
７００    カバー
７１０    傾斜部
７２０    中央部
７３０    外枠部
８００    天井
８０１    給電部
８０２    設置部品
【図１】
0005876599.tif 000002
【図２】
0005876599.tif 000003
【図３】
0005876599.tif 000004
【図４】
0005876599.tif 000005
【図５】
0005876599.tif 000006
【図６】
0005876599.tif 000007
【図７】
0005876599.tif 000008